(57)【要約】【課題】データ信頼性の高い表示部を備える理化学容器を提供する。【解決手段】架橋性インクの架橋物で形成された表示部を備える、理化学容器。【選択図】図１
2019014532.tif 000002
【特許請求の範囲】
【請求項１】
架橋性インクの架橋物で形成された表示部を備える、理化学容器。
【請求項２】
前記表示部が、前記理化学容器の識別情報を示す表示部である、請求項１に記載の理化学容器。
【請求項３】
前記架橋性インクが、ＵＶ硬化性インクである、請求項１又は２に記載の理化学容器。
【請求項４】
再生医療用容器である、請求項１〜３のいずれか一項に記載の理化学容器。
【請求項５】
前記理化学容器には、識別チップが取り付けられており、
前記表示部が、前記識別チップに形成されている、請求項１〜４のいずれか一項に記載の理化学容器。
【請求項６】
前記識別チップがＩＣタグを備える、請求項５に記載の理化学容器。
【請求項７】
前記ＩＣタグが、熱可塑性樹脂から構成されるＩＣタグ固定部で前記識別チップに固定されている、請求項６に記載の理化学容器。
【請求項８】
前記ＩＣタグに、前記理化学容器の識別情報が記録されている、請求項６又は７に記載の理化学容器。
【請求項９】
前記識別チップが前記理化学容器の底部に取り付けられている、請求項５〜８のいずれか一項に記載の理化学容器。
【請求項１０】
架橋性インクの架橋物で表示部を形成する表示工程を含む、理化学容器の製造方法。
【請求項１１】
前記表示部が、前記理化学容器の識別情報を示す表示部である、請求項１０に記載の製造方法。
【請求項１２】
前記架橋性インクが、ＵＶ硬化性インクである、請求項１０又は１１に記載の製造方法。
【請求項１３】
前記理化学容器が、再生医療用容器である、請求項１０〜１２のいずれか一項に記載の製造方法。
【請求項１４】
前記表示工程の前に、前記理化学容器表面を親水化処理する表面処理工程を含む、請求項１０〜１３のいずれか一項に記載の製造方法。
【発明の詳細な説明】
【技術分野】
【０００１】
本発明は、理化学容器及び理化学容器の製造方法に関する。
【背景技術】
【０００２】
医療および生化学などの分野において、サンプルを収容する容器に、ＩＣタグを付して各サンプルを識別することが行われている。
例えば、特許文献１では、半導体集積回路チップ（ＩＣタグ）を備えた容器が開示されている。例えば、半導体集積回路チップを合成樹脂製の容器本体を成形する際に合成樹脂内部に埋設して一体に成形する方法、容器本体を成形後に、その表面に合成樹脂製の保護被膜と積層して貼着する方法、および、予め薄い合成樹脂層内に埋設した半導体集積回路チップを容器本体に貼着する方法などにより得られることが記載されている。
また、ＩＣタグを接着剤で接着する方法により製造されるＩＣタグ付き容器も知られている。
【先行技術文献】
【特許文献】
【０００３】
【特許文献１】特開２００１−３４０４２６号公報
【発明の概要】
【発明が解決しようとする課題】
【０００４】
ＩＣタグを容器または容器に貼着する部品を構成する樹脂内部に埋設することで容器にＩＣタグを付す方法では、ＩＣタグの全表面が溶融された樹脂による高温にさらされることが不可避である。このため、製造時にＩＣタグが受けた熱履歴による読み取り障害の問題をはらんでおり、データ信頼性に支障をきたすおそれがある。
一方、合成樹脂の被膜をＩＣタグに積層して貼着すること、およびＩＣタグを接着剤で接着することで容器にＩＣタグを付す方法では、貼着態様および接着態様が本質的に剥離の問題をはらんでおり、データ信頼性に支障をきたすおそれがある。
【０００５】
本発明は、上記事情に鑑みてなされたものであって、理化学容器のデータ信頼性を向上させる技術を提供することを目的とする。
【課題を解決するための手段】
【０００６】
本発明は、以下の態様を含む。
［１］架橋性インクの架橋物で形成された表示部を備える、理化学容器。
［２］前記表示部が、前記理化学容器の識別情報を示す表示部である、［１］に記載の理化学容器。
［３］前記架橋性インクが、ＵＶ硬化性インクである、［１］又は［２］に記載の理化学容器。
［４］再生医療用容器である、［１］〜［３］のいずれか一つに記載の理化学容器。
［５］前記理化学容器には、識別チップが取り付けられており、前記表示部が、前記識別チップに形成されている、［１］〜［４］のいずれか一つに記載の理化学容器。
［６］前記識別チップがＩＣタグを備える、［５］に記載の理化学容器。
［７］前記ＩＣタグが、熱可塑性樹脂から構成されるＩＣタグ固定部で前記識別チップに固定されている、［６］に記載の理化学容器。
［８］前記ＩＣタグに、前記理化学容器の識別情報が記録されている、［６］又は［７］に記載の理化学容器。
［９］前記識別チップが前記理化学容器の底部に取り付けられている、［５］〜［８］のいずれか一つに記載の理化学容器。
［１０］架橋性インクの架橋物で表示部を形成する表示工程を含む、理化学容器の製造方法。
［１１］前記表示部が、前記理化学容器の識別情報を示す表示部である、［１０］に記載の製造方法。
［１２］前記架橋性インクが、ＵＶ硬化性インクである、［１０］又は［１１］に記載の製造方法。
［１３］前記理化学容器が、再生医療用容器である、［１０］〜［１２］のいずれか一つに記載の製造方法。
［１４］前記表示工程の前に、前記理化学容器表面を親水化処理する表面処理工程を含む、［１０］〜［１３］のいずれか一つに記載の製造方法。
【発明の効果】
【０００７】
本発明によれば、理化学容器のデータ信頼性を向上させる技術を提供することができる。
【図面の簡単な説明】
【０００８】
【図１】（Ａ）は識別チップが取り付けられていない理化学容器の模式的断面図であり、（Ｂ）は識別チップが取り付けられた理化学容器の模式的断面図である。
【図２】識別チップの裏側からみた模式的外観斜視図である。
【図３】識別チップの表側からみた模式的外観斜視図である。
【図４】図３のＩＶ−ＩＶ線を含む平面で切断した場合の模式的断面図である。
【図５】図３のＶ−Ｖ線を含む平面で切断した場合の模式的断面図である。
【図６】識別チップの裏側からみた模式的正面図である。
【図７】識別チップおよびそれが取り付けられるべき理化学容器本体部の模式的切り欠き断面図である。
【図８】図７における理化学容器の下側からみた模式的外観図である。
【図９】識別チップの製造に用いられる識別チップ部材の上からみた模式的外観斜視図である。
【図１０】図９の識別チップ部材をＸ−Ｘ線を含む平面で切断した場合の模式的断面図である。
【図１１】配設工程における識別チップ部材を上からみた模式的正面図である。
【図１２】配設工程における識別チップ部材の模式的断面図である。
【図１３】固定工程における模式的断面図である。
【図１４】固定工程における模式的断面図である。
【発明を実施するための形態】
【０００９】
以下、本実施形態の理化学容器について詳細に説明する。なお、以下の説明で用いる図面は、特徴をわかりやすくするために、便宜上特徴となる部分を拡大して示している場合があり、各構成要素の寸法比率などが実際と同じであるとは限らない。また、同一又は対応する部分には同一又は対応する符号を付し、重複する説明は省略する。
【００１０】
［理化学容器］
図１（Ａ）及び（Ｂ）は、理化学容器３００の模式的断面図である。図２は、図１（Ｂ）において、理化学容器３００に取り付けられている識別チップ２００を下側からみた模式的外観斜視図である。
【００１１】
便宜上、図１の上方向に相当する方向を上、図１の下方向に相当する方向を下と記載するが、理化学容器３００の使用時および製造時の絶対的方向を示す意ではない。
【００１２】
上述のようにＩＣタグが障害又は剥離した場合に備えて、ＩＣタグと同様の情報を示す表示（二次元コード等）を容器に印刷し、バックアップを作成しておくことが考えられる。しかしながら、医療および生化学等の分野では、水や有機溶媒等の試薬を使用することが想定される。本発明者らは、容器の使用時にこれら試薬が付着して上記の表示が消えたり、読み取れなくなったりする等の問題が起こり得ることを見出した。
【００１３】
本実施形態の理化学容器３００は、架橋性インクの架橋物で形成された表示部１５０を備える。本発明者らは、理化学容器３００の表示部１５０を架橋性インクの架橋物で形成することにより、表示部１５０が消えたり読み取れなくなったりせず、理化学容器３００のデータ信頼性を向上し得ることを見出した。
【００１４】
理化学容器３００としては、例えば、研究用又は医療用容器であってもよく、培養用又は保管用容器であってもよく、化粧品用容器であってもよい。具体的には、シャーレ、フラスコ、細胞培養ウェルプレート等の培養用容器、またサンプルチューブ、および遠沈管（例えばコニカルチューブ）、クライオチューブ等の保管用容器などであってもよい。
【００１５】
（表示部）
表示部１５０は、どのような情報を示していてもよいが、理化学容器３００の識別情報を示す表示部であることが好ましい。これにより、理化学容器３００に収容された内容物に関する情報を容易に識別することができる。
【００１６】
表示部１５０は、どのような表示であってもよいが、図２に示すように、二次元コードと、前記二次元コードの内容を示す文字列との両方を設けていることが好ましい。これにより、二次元コード読み取りトラブルの場合であっても目視により情報を取得することができる。
【００１７】
表示部１５０は、図１（Ａ）に示すように、理化学容器本体部１００の表面に設けられていてもよく、図１（Ｂ）に示すように、理化学容器本体部１００に取り付けられた識別チップ２００の表面に設けられていてもよい。また、理化学容器本体部１００や識別チップ２００以外の部材、例えば、蓋等に設けられていてもよいし、これら部材の内面に設けられていてもよい。
【００１８】
架橋性インクは、熱カチオン系エポキシ樹脂、光（ＵＶ）カチオン系エポキシ樹脂、熱アニオン系フェノール樹脂、熱アニオン系シアネート樹脂、熱ラジカル系アクリル樹脂、光（ＵＶ）ラジカル系アクリル樹脂、熱ラジカル系ウレタン樹脂、光（ＵＶ）ラジカル系ウレタン樹脂、熱ラジカル系ビニルエステル樹脂、光（ＵＶ）ラジカル系ビニルエステル樹脂、熱ラジカル系ポリエステル・アルキド樹脂、及び光（ＵＶ）ラジカル系ポリエステル・アルキド樹脂からなる群より選択される少なくとも１種を含んでいてもよい。
【００１９】
架橋性インクは、ＵＶ硬化性インクであることが好ましい。すなわち、ＵＶ硬化性インクとしては、上記の架橋性インクのうち、光（ＵＶ）カチオン系エポキシ樹脂、光（ＵＶ）ラジカル系アクリル樹脂、光（ＵＶ）ラジカル系ウレタン樹脂、光（ＵＶ）ラジカル系ビニルエステル樹脂、光（ＵＶ）ラジカル系ポリエステル・アルキド樹脂等が挙げられる。ＵＶ硬化性インクは、理化学容器３００の使用時に水や有機溶媒等の試薬が付着しても、消えたり読み取れなくなったりする等の虞が極めて低いので、表示部１５０のデータ信頼性を向上させることができる。
【００２０】
本実施形態の理化学容器３００は、再生医療用容器であることが好ましい。再生医療用容器であることにより、容器に収容された細胞等を容易に識別することができる。
【００２１】
再生医療用容器に収容する内容物としては、例えば、ｉＰＳ細胞、間葉系幹細胞、及びＥＳ細胞等が挙げられる。
【００２２】
（識別チップ）
図１（Ｂ）に示すように、理化学容器３００には、識別チップ２００が取り付けられており、図２に示すように、表示部１５０が、識別チップ２００に形成されていてもよい。理化学容器３００に上記の識別チップ２００が取り付けられることで、識別チップ付き理化学容器３００（例えば細胞保管用容器）を構成する。識別チップ付き理化学容器３００は、高い信頼性による理化学容器３００の識別が可能となる。
【００２３】
識別チップ２００は、識別チップ本体部２１０と、識別チップ２００を理化学容器３００に取り付けるための嵌合部２０６と、識別チップ本体部２１０の下面２０３に形成された表示部１５０と、を備えていてもよい。
【００２４】
識別チップ本体部２１０は理化学容器３００（後述の図７参照）の底延長部１０６の内部空間ＩＳ内に挿入される形状に形成されている。図３は、識別チップ２００の上側からみた模式的外観斜視図である。図３に示すように、識別チップ本体部２１０は、底部２０１と、底部２０１の全周に設けられた立上り周壁部２０４とを含む、上面開口した容器状に形成されている。立上り周壁部２０４の外側面に設けられた嵌合部２０６は、理化学容器３００の嵌合部１０８に嵌合する部分である。
【００２５】
図４及び図５は、それぞれ、図３のＩＶ−ＩＶ線およびＶ−Ｖ線を含む平面で切断した場合の模式的断面図である。図４及び図５に示すように、識別チップ本体部２１０は、立上り周壁部２０４の外側面に設けられた凹部を構成している。嵌合部２０６である凹部は、立上り周壁部２０４の外側面の一部又は全周に亘る溝状に形成されている。
【００２６】
識別チップ本体部２１０は熱可塑性樹脂で構成される。熱可塑性樹脂としては特に限定されないが、例えば、ポリプロピレン樹脂、ポリエチレン樹脂、エチレン−プロピレン共重合体等のポリオレフィン系樹脂または環状ポリオレフィン系樹脂、ポリスチレン、アクリロニトリル−ブタジエン−スチレン系樹脂等のポリスチレン系樹脂、ポリカーボネート樹脂、ポリエチレンテレフタレート樹脂、ポリメチルメタクリレート樹脂等のメタクリル系樹脂、塩化ビニル樹脂、ポリブチレンテレフタレート樹脂、ポリアリレート樹脂、ポリサルホン樹脂、ポリエーテルサルホン樹脂、ポリエーテルエーテルケトン樹脂、ポリエーテルイミド樹脂、ポリテトラフルオロエチレン等のフッ素系樹脂、ポリメチルペンテン樹脂、ポリアクリロニトリル等のアクリル系樹脂、プロピオネート樹脂等の繊維素系樹脂等ポリスチレンなどが挙げられる。
【００２７】
識別チップ２００はＩＣタグ４００を備えていてもよい。これにより、理化学容器３００に備えられた表示部１５０と、理化学容器３００に取り付けられたＩＣタグと、の両方で理化学容器３００を識別することができ、データ信頼性をより向上させることができる。
【００２８】
ＩＣタグ４００は、ＲＦタグ、電子タグ、または非接触タグとも呼ばれるものであり、理化学容器３００を識別する情報を記録している。ＩＣタグ４００は、ＩＣチップとアンテナとが内蔵された微小チップである。具体的には、ＩＣチップと、それに接続されたアンテナとが基板に挟みこまれたインレットであってもよい。ＩＣタグ４００の正面形状は任意であり、図示するように正方形であってもよいし、長方形などの矩形その他の多角形、円、楕円、およびそれらの変形または組み合わせ形状であってもよい。識別チップ２００の製造の容易性からは、多角形であることが好ましく、固定確実性および熱履歴を考慮して縁部分Ｅを適切に設ける観点からは、三角形、長方形、および四角形が好ましい。
【００２９】
図３に示すように底部２０１の上面にはＩＣタグ配設部２０２が設けられ、ＩＣタグ配設部２０２にはＩＣタグ４００が配置されかつ固定されている。
【００３０】
ＩＣタグ４００は、熱可塑性樹脂から構成されるＩＣタグ固定部２５０で識別チップ２００に固定されていてもよい。ＩＣタグ固定部２５０の構成材料を識別チップ本体部２１０と同様に熱可塑性樹脂とすることで、ＩＣタグ固定部２５０と識別チップ本体部２１０との接着性を向上させることができ、ＩＣタグ４００の剥離の危険性をより低下させることができる。
【００３１】
熱可塑性樹脂としては、例えば、前記識別チップ本体部２１０と同様の樹脂を使用することが挙げられる。なお、識別チップ本体部２１０と同じ材料であってもよいし、異なる材料であってもよい。
【００３２】
図６は、図３の識別チップの上側からみた模式的正面図である。図６に示すように、ＩＣタグ固定部２５０は、ＩＣタグ４００の外周囲を取り囲む外側周囲部Ｓにおいて略環状に盛設されているとともに、ＩＣタグ４００の表面のうちの縁部分Ｅのみを被覆している。図４および図６に示すように、ＩＣタグ固定部２５０は、ＩＣタグ４００の表面の一部である縁部分ＥとＩＣタグ４００の外側周囲部Ｓとを一体的に覆うことで、ＩＣタグ４００を識別チップ本体部２１０に固定している。
【００３３】
ＩＣタグ固定部２５０は、識別チップ本体部２１０の一部であってもよく、理化学容器本体部１００の一部であってもよく、識別チップ本体部２１０及び理化学容器本体部１００とは別の部材であってもよいが、ＩＣタグ固定部の剥離の危険性を回避するため、識別チップ本体部２１０の一部であることが好ましい。
【００３４】
ＩＣタグ４００には、どのような情報が記録されていてもよいが、理化学容器３００の識別情報が記録されていることが好ましい。これにより、理化学容器３００に収容された内容物に関する情報を容易に識別することができる。なお、ＩＣタグ４００に記録された情報と、表示部１５０に示された情報とは、異なる情報であってもよい。
【００３５】
識別チップ２００は、理化学容器３００のいずれの場所に取り付けられていてもよいが、図１（Ｂ）に示すように、底部に取り付けられていることが好ましい。識別チップ２００が理化学容器３００の底部に取り付けられていることにより、理化学容器３００の使用時に水や有機溶媒等の試薬が表示部１５０に付着する危険性をより低下させることができる。
【００３６】
図７は、識別チップ２００及びそれが取り付けられるべき理化学容器本体部１００の模式的切り欠き断面図であり、後述の図８のＶＩ−ＶＩを含む面で切断した場合の断面図である。図７に示すように、理化学容器３００はスクリュー型アウターキャップで閉蓋される上開口部１０１と、円錐形の底部１０２とを含んでいてもよい。上開口部１０１の形状はこれに限定されず、インナーキャップで閉蓋される形状でもよいし、嵌合型キャップで閉蓋される形状でもよい。底部１０２の形状もこの態様に限定されず、円錐形と同様深さ方向に容積が減少する形状であれば半球形底などであってもよいし、平坦底であってもよい。
【００３７】
理化学容器３００には、底部１０２の下にさらに底延長部１０６が設けられている。底延長部１０６は垂下り周壁部１０７が延設されることで、下面閉口した内部空間ＩＳを形成している。垂下り周壁部１０７は、その最下端１０９が底部１０２の最下端１０３よりも所定長さ下に位置するように設けられることで、内部空間ＩＳ中に識別チップ２００を完全に収容することができる。底延長部１０６は底部１０２と一体的に形成されている。
【００３８】
垂下り周壁部１０７の内側面には嵌合部１０８が設けられている。嵌合部１０８は、識別チップ２００を嵌合する部分であるため、嵌合部２０６に対応する形状で構成される。本実施形態では、嵌合部１０８は垂下り周壁部１０７の内側面に設けられた凸部を形成している。嵌合部１０８である凸部は、垂下り周壁部１０７の内側面の全周に亘る凸条状に形成されている。識別チップ２００における嵌合部２０６（凹部）が、理化学容器本体部１００における嵌合部１０８（凸部）と嵌合することで、識別チップ２００が容器に確実に取り付けられる。なお、嵌合部１０８が凹部、嵌合部２０６が凸部であってもよい。
【００３９】
図８は、図７におげる理化学容器３００の下側からみた模式的外観図である。図７および図８に示すように、垂下り周壁部１０７と底部１０２との間には衝止リブ１０４が設けられている。衝止リブ１０４は、内部空間ＩＳにおいて、垂下り周壁部１０７の内壁と底部１０２の外壁面との間に介設されたリブであり、衝止面１０５を構成する。図８に示すように衝止リブ１０４は周方向に均等に４箇所設けられている。衝止リブ１０４は３箇所以上設けられていればよい。衝止リブ１０４は垂下り周壁部１０７および底部１０２と一体的に形成されている。
【００４０】
衝止面１０５は、図１に示すように識別チップ２００が理化学容器本体部１００に取り付けられた場合に、識別チップ２００の立上り周壁部２０４の上面２０５を当接させる。これによって、識別チップ２００が内部空間ＩＳ内に誤って過度に深く押し込まれることでＩＣタグ４００と底部１０２の最下端１０３との衝突によるＩＣタグ破損を防止することができる。衝止リブ１０４の衝止面１０５と垂下り周壁部１０７の最下端１０９との間の長さは、識別チップ２００の上面２０５と下面２０３との間の長さと略同じ、好ましくは取り付け後に簡単に外せないように識別チップ２００の上面２０５と下面２０３との間の長さよりもわずかに大であってもよい。
【００４１】
垂下り周壁部１０７の最下端１０９と底部１０２の最下端１０３との間の長さ（上述の所定長さ）は、識別チップ２００におけるＩＣタグ４００の厚みと底部２０１のＩＣタグ配設部２０２の部分の厚みとの合計より大きければよい。具体的には、上述の所定長さが０．１ｍｍ以上；１０ｍｍ以下であってもよい。所定長さが上記下限以上であることは、識別チップ２００を理化学容器本体部１００に取り付ける際に、ＩＣタグ４００と底部１０２の最下端１０３との衝突によるＩＣタグ破損を防止する（図１参照）点で好ましく、上記上限以下であることは、内部空間ＩＳのデッドスペース化を防止する点で好ましい。
【００４２】
識別チップ２００は、理化学容器用識別チップ２００として独立して存在していてもよい。すなわち、本実施形態の理化学容器用識別チップ２００は、識別チップ本体部２１０と、識別チップ２００を理化学容器本体部１００に取り付けるための嵌合部２０６と、識別チップ本体部２１０の表面に形成された表示部１５０と、を備えていてもよい。
【００４３】
あるいは、識別チップ２００は、識別チップ付き理化学容器３００の一部として存在していてもよい。すなわち、本実施形態の識別チップ付き理化学容器３００は、識別チップ本体部２１０と、識別チップ２００を理化学容器本体部１００に取り付けるための嵌合部２０６と、識別チップ本体部２１０の表面に形成された表示部１５０と、理化学容器本体部１００と、を備えていてもよい。
【００４４】
［理化学容器の製造方法］
本実施形態の理化学容器３００の製造方法は、架橋性インクの架橋物で表示部１５０を形成する表示工程を含む。これにより、理化学容器３００のデータ信頼性を向上させることができる。
【００４５】
本実施形態では、どのタイミングで表示工程を行ってもよいが、まず、表示工程を行い、その後、配設工程と固定工程とをこの順に行うことが好ましい。
【００４６】
（識別チップ部材）
図９および図１０の識別チップ部材２００’を用いて、識別チップ２００を製造することができる。識別チップ部材２００’は上述の熱可塑性樹脂で構成される。識別チップ部材２００’は、底部２０１と、底部２０１の全周に設けられた立上り周壁部２０４とを含む、上面開口した容器状に形成されている。
【００４７】
底部２０１の上面にはＩＣタグ配設部２０２が設けられている。ＩＣタグ配設部２０２の外側周囲部Ｓ（図１０参照）には固定用突起２５０’が突設されている。固定用突起２５０’がＩＣタグ配設部２０２を取り囲んで形成されていることで、好ましくは図示されるようにＩＣタグ配設部２０２の全周を取り囲む管状の突条として形成されていることで、ＩＣタグ配設部２０２はＩＣタグ４００を容易に収容できるポケットとして画成される。
【００４８】
固定用突起２５０’は、熱可塑性樹脂で構成されている。これによって、後述するように、固定用突起２５０’はＩＣタグ４００を固定化するための溶融樹脂を生じさせるための融かし代として機能する。チップ固定後の強度を維持する観点から、固定用突起２５０’を構成する熱可塑性樹脂は結晶性樹脂であってよい。
【００４９】
固定用突起２５０’からみてＩＣタグ配設部２０２の側を内側とし、立上り周壁部２０４の側を外側とすると、図１０に示すように固定用突起２５０’の内外方向の中央面ＣＰは、固定用突起２５０’の基端側よりも頂端側がＩＣタグ配設部２０２の側に傾斜している。これによって、固定用突起２５０’が、中央面ＣＰからみて外側よりもＩＣタグ４００が配設される内側のほうで肉量が多くなり、溶融された時に内側でより多くの溶融樹脂を生じさせることができる。
【００５０】
立上り周壁部２０４の外側面には嵌合部２０６が設けられている。嵌合部２０６は、理化学容器本体部１００（図７参照）に嵌合する部分であり、本実施形態では、図９および図１０に示すように、立上り周壁部２０４の外側面に設けられた凹部を構成している。嵌合部２０６である凹部は、立上り周壁部２０４の外側面の全周に亘る溝状に形成されている。
【００５１】
（表示工程）
表示工程では、識別チップ部材２００’の下面２０３（図２参照)に、理化学容器３００に収容された内容物に関する情報を示す表示部１５０を付してもよい。
【００５２】
表示部１５０を付す方法としては、印刷が挙げられる。印刷には、インクとして、顔料および着色したＵＶ硬化性樹脂が挙げられる。細胞培養実験室で殺菌用にスプレーされることが多いエタノールなどの有機溶媒に対する耐久性、およびスクラッチに対する耐久性などを考慮すると、ＵＶ硬化性樹脂を用いることが好ましい。この場合、印刷と同時に紫外線等の光線を照射することができる。
【００５３】
表示部１５０は、どのような情報を示していてもよいが、理化学容器３００の識別情報を示す表示部であることが好ましい。これにより、理化学容器３００に収容された内容物に関する情報を容易に識別することができる。
【００５４】
架橋性インクは、ＵＶ硬化性インクであることが好ましい。ＵＶ硬化性インクは、理化学容器３００の使用時に水や有機溶媒等の試薬が付着しても、消えたり読み取れなくなったりする等の虞が極めて低いので、表示部１５０のデータ信頼性を向上させることができる。
【００５５】
理化学容器３００は、再生医療用容器であることが好ましい。再生医療用容器であることにより、理化学容器３００に収容された細胞等を容易に識別することができる。
【００５６】
表示工程の前に、理化学容器３００表面を親水化処理する表面処理工程を含むことが好ましい。これにより、前記架橋性インクと下面２０３との親和性を向上させることができる。
【００５７】
親水化処理としては、例えば、プラズマ処理、ＵＶ処理、エキシマ処理、コロナ処理、プライマー塗布、溶剤処理等が挙げられる。このうち、プラズマ処理が好ましい。プラズマ処理としては、たとえば、大気圧プラズマ処理、真空プラズマ処理（酸素ガス）などが挙げられる。一度に大量に処理する観点からは真空プラズマ処理を選択することができる。工程の自動化によりインライン処理する観点らは大気圧プラズマまたはコロナ処理を選択することができる。光線照射による表面処理を行う場合は、ＩＣタグ４００がプラズマおよびコロナのような光線の影響を回避するために、配設工程の前に行う。
【００５８】
（配設工程）
図１１は、配設工程における識別チップ部材２００’を上からみた模式的正面図であり、図１２は、配設工程における識別チップ部材２００’の模式的断面図である。図１１および図１２に示すように、配設工程では、識別チップ部材２００’のＩＣタグ配設部２０２にＩＣタグ４００を配設する。この時点において、ＩＣタグ４００にはまだ理化学容器３００に収容された内容物に関する情報が記録されていない。
【００５９】
（固定工程）
図１３および図１４は、固定工程における模式的断面図である。図１３は、図４に対応する断面図であり、図１４は、図５に対応する断面図である。図１３および図１４に示すように、固定工程では熱源５００によって固定用突起２５０’を溶融する。熱源５００は最下面として平滑な押圧面５０１を有し、識別チップ部材２００’の立上り周壁部２０４の上部開口部から内部に進入可能な大きさおよび形状で構成されている。本実施形態では、押圧面５０１が固定用突起２５０’の外周形状に対応する円形に構成され、かつ、熱源５００自体が円筒状に形成されている。
【００６０】
熱源５００は、固定用突起２５０’を構成する熱可塑性樹脂の種類を考慮して前記熱可塑性樹脂を溶融可能な温度に加熱し、押圧面５０１が固定用突起２５０’に押し当てられる。固定用突起２５０’は加熱により溶融し、溶融樹脂を生じる。溶融樹脂は、図１３に示すように、ＩＣタグ４００の縁部分Ｅが近接している部分においてはＩＣタグ４００の縁部分Ｅに達してその面に沿って流動する一方、図１４に示すように、縁部分Ｅがない部分においてはＩＣタグ４００の表面に達することなくＩＣタグ４００との間の隙間に流下する。これによって、ＩＣタグ４００の表面のうち縁部分Ｅのみと外側周囲部Ｓとが溶融樹脂で一体的に被覆される。このようにＩＣタグ４００の表面のうち縁部分Ｅのみと外側周囲部Ｓとを一体的に被覆した状態の溶融樹脂を冷却固化されることにより、ＩＣタグ４００が識別チップ部材２００’に固定される。
【００６１】
（その他の工程）
本実施形態では、固定工程の後、固定されたＩＣタグ４００に理化学容器３００の識別情報を記録すること（記録工程）ができる。この場合、記録工程に先だって、下面２０３に付された表示部１５０の読み取り（読み取り工程）を行い、読み取られた情報に対応する情報をＩＣタグ４００に記録することができる。これによって、識別チップ２００が得られる。図１に示すように、得られた識別チップ２００を理化学容器本体部１００に取り付けることにより、本実施形態の理化学容器３００が得られる。
【実施例】
【００６２】
以下、本発明の効果を実施例及び比較例を用いて詳細に説明するが、本発明は下記の実施例に限定されるものではない。
【００６３】
＜理化学容器の作製＞
以下に示すようにして、実施例１及び２、並びに比較例１〜３の理化学容器を作製した。
【００６４】
（実施例１）
ポリプロピレン系樹脂で構成される識別チップ本体部の下面に、識別情報を示す表示部を印刷した。印刷と同時にプラズマ照射を行った。
【００６５】
識別チップ本体部のＩＣタグ配設部にＩＣタグを配設した。その後、熱源によってチップ部材の固定用突起を溶融してＩＣタグの縁部分を被覆し、溶融樹脂を冷却固化し、ＩＣタグをチップ部材に固定した。
【００６６】
表示部の読み取りを行い、読み取られた情報に対応する情報をＩＣタグに記録した。得られた識別チップをセラムチューブ（住友ベークライト(株)製、以下同様）に取り付けた。
【００６７】
（実施例２）
実施例１と異なる印刷機を使用した以外は、実施例１と同様にして実施例２のセラムチューブを得た。
【００６８】
（比較例１）
インクをＵＶ硬化性インクから非ＵＶ硬化性インクに変更し、プラズマ処理を行わずに表示部を印刷したこと以外は、実施例２と同様にして比較例１のセラムチューブを得た。
【００６９】
（比較例２）
インクを比較例１と異なる非ＵＶ硬化性インクに変更し、プラズマ処理を行わずに表示部を印刷したこと以外は、実施例２と同様にして比較例１のセラムチューブを得た。
【００７０】
（比較例３）
インクを比較例１、２と異なる非ＵＶ硬化性インクに変更し、プラズマ処理を行わずに表示部を印刷したこと以外は、実施例２と同様にして比較例１のセラムチューブを得た。
【００７１】
＜表示部の評価＞
実施例１及び２、並びに比較例１〜３の理化学容器の表示部について、それぞれ評価を行った。
【００７２】
（テープ剥離耐性）
表示部に対して、テープ剥離試験を行い、以下のようにテープ剥離耐性を評価した。
［評価基準］オリエンスパットテープＮｏ．８３０Ｓ（積水化学（株）製）を、１ｍｍ間隔でカッターにて切れ込みを入れた表示部に貼り合わせ、その後剥離し、表示部の剥離の有無を確認した。
○：表示部の剥離率が５％未満
△：表示部の剥離率が５％以上２０％未満
×：表示部の剥離率が２０％以上
【００７３】
（７０％エタノール耐性）
表示部に対して、７０％エタノールを塗布し、以下のように７０％エタノール耐性を評価した。
［評価基準］常温の７０％エタノールに、表示部を１分間浸漬させて、表示部の剥離の有無を確認した。
○：文字の読み取りが可能。また、２次元コードの読み取りも可能。
△：文字の読み取りが可能。ただし、２次元コードの読み取りができない。
×：文字の読み取りが不可能。また、２次元コードの読み取りもできない。
【００７４】
（９９．５％エタノール耐性）
表示部に対して、９９．５％エタノールを塗布し、以下のように９９．５％エタノール耐性を評価した。
［評価基準］
○：文字の読み取りが可能。また、２次元コードの読み取りも可能。
△：文字の読み取りが可能。ただし、２次元コードの読み取りができない。
×：文字の読み取りが不可能。また、２次元コードの読み取りもできない。
【００７５】
結果を下記の表１に示す。
【表１】
2019014532.tif 000003
【００７６】
表１に示すように、ＵＶ硬化性でないインクで形成された比較例１〜３の表示部と比較して、ＵＶ硬化性インクで形成された実施例１及び２の表示部は、テープ剥離耐性、７０％エタノール耐性、９９．５％エタノール耐性、及びスクラッチ耐性のいずれにおいても優れた耐性を示し、データ信頼性の向上が確認された。
【産業上の利用可能性】
【００７７】
本発明は、理化学容器のデータ信頼性を向上させる技術を提供することができる。
【符号の説明】
【００７８】
１００…理化学容器本体部、１０１…上開口部、１０２…理化学容器の底部、１０３…理化学容器の底部の最下端、１０４…衝止リブ、１０５…衝止面、１０６…底延長部、１０７…垂下り周壁部、１０８…理化学容器の嵌合部、１０９…垂下り周壁部の最下端、１５０…表示部、２００…識別チップ、２００’…識別チップ部材、２０１…識別チップの底部、２０２…ＩＣタグ配設部、２０３…識別チップの下面、２０４…立上り周壁部、２０５…識別チップの上面、２０６…識別チップの嵌合部、２１０…識別チップ本体部、２５０…ＩＣタグ固定部、２５０’…固定用突起、３００…理化学容器、４００…ＩＣタグ、５００…熱源、押圧面…５０１、Ｅ…縁部分、Ｓ…外側周囲部、ＣＰ…中央面。
【図１】
2019014532.tif 000004
【図２】
2019014532.tif 000005
【図３】
2019014532.tif 000006
【図４】
2019014532.tif 000007
【図５】
2019014532.tif 000008
【図６】
2019014532.tif 000009
【図７】
2019014532.tif 000010
【図８】
2019014532.tif 000011
【図９】
2019014532.tif 000012
【図１０】
2019014532.tif 000013
【図１１】
2019014532.tif 000014
【図１２】
2019014532.tif 000015
【図１３】
2019014532.tif 000016
【図１４】
2019014532.tif 000017